【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】  ネットワーク交換機（ＳＳＰ）とＣＴＩサーバ手段（ＣＴＳ）との間のインタフェース手段（ＩＭ）であって、
サービス交換機能を備え、前記ネットワーク交換機（ＳＳＰ）内に含まれるサービス交換機能装置（ＳＳＦ）と前記ＣＴＩサーバ手段（ＣＴＳ）との間で通信を行うように構成されたことを特徴とするインタフェース手段（ＩＭ）。
【請求項２】  前記ＣＴＩサーバ手段（ＣＴＳ）からＣＴＩ呼処理メッセージ（ＣＴＩＣＨＩＮ）を受信し、前記ＣＴＩ呼処理メッセージ（ＣＴＩＣＨＩＮ）に関連付けられた呼に対して少なくとも１つのＣＴＩ呼サービスシナリオ（ＣＳＣＥＮ１）を実行するように構成されたＣＴＩ呼処理装置（ＣＴＩＣＨ）をさらに含むことを特徴とする請求項１に記載のインタフェース手段（ＩＭ）。
【請求項３】  前記ＣＴＩ呼処理装置（ＣＴＩＣＨ）が、前記少なくとも１つのＣＴＩ呼サービスシナリオを実行すると、前記ＣＴＩサーバ手段（ＣＴＣ）に送達すべき少なくとも１つの返送ＣＴＩ呼処理メッセージ（ＣＴＩＣＨＯＵＴ２）を生成するようにさらに構成されたことを特徴とする請求項２に記載のインタフェース手段（ＩＭ）。
【請求項４】  前記ＣＴＩ呼処理装置（ＣＴＩＣＨ）が、前記少なくとも１つのＣＴＩ呼サービスシナリオ（ＣＳＣＥＮ１）を実行すると、前記ネットワーク交換機（ＳＳＰ）内の前記サービス交換機能装置（ＳＳＦ）に送達すべき少なくとも１つのサービス要求制御メッセージ（ＳＣＲＭ１）を生成するようにさらに構成されたことを特徴とする請求項２に記載のインタフェース手段（ＩＭ）。
【請求項５】  前記ネットワーク交換機（ＳＳＰ）内の前記サービス交換機能装置（ＳＳＦ）から公衆交換呼処理メッセージ（ＰＳＣＨｉｎ）を受信し、前記公衆交換呼処理メッセージ（ＰＳＣＨＩＮ）に関連付けられた呼に対して少なくとも１つの公衆交換呼サービスシナリオ（ＳＣＥＮ１）を実行するように構成されたマッピング装置（ＭＤ）をさらに含むことを特徴とする請求項１に記載のインタフェース手段（ＩＭ）。
【請求項６】  前記マッピング装置（ＭＤ）が、前記少なくとも１つの公衆交換呼サービスシナリオ（ＳＣＥＮ１）を実行すると、前記ネットワーク交換機（ＳＳＰ）内の前記サービス交換機能装置（ＳＳＦ）に送達すべき少なくとも１つの返送公衆交換呼処理メッセージ（ＰＳＣＨＯＵＴ１）を生成するようにさらに構成されたことを特徴とする請求項５に記載のインタフェース手段（ＩＭ）。
【請求項７】  前記マッピング装置（ＭＤ）が、前記少なくとも１つの公衆交換呼サービスシナリオ（ＳＣＥＮ１）を実行すると、前記ＣＴＩサーバ手段（ＣＴＳ）に送達すべき少なくとも１つの制御メッセージ（ＣＭ１）を生成するようにさらに構成されたことを特徴とする請求項５に記載のインタフェース手段（ＩＭ）。
【請求項８】  前記ＣＴＩ呼処理装置（ＣＴＩＣＨ）が、前記マッピング装置（ＭＤ）からマッピング装置メッセージ（ＣＭ１；ＣＭｎ＋１）を受信し、前記マッピング装置メッセージに関連付けられた特定の呼に対して少なくとも１つの別のＣＴＩ呼サービスシナリオ（ＣＳＣＥＮＩ＋１；ＣＳＣＥＮＩ＋ｋ）を実行するようにさらに構成されたことを特徴とする請求項２または５に記載のインタフェース手段（ＩＭ）。
【請求項９】  前記ＣＴＩ呼処理装置（ＣＴＩＣＨ）が、前記少なくとも１つの別のＣＴＩ呼サービスシナリオ（ＣＳＣＥＮＩ＋１；ＣＳＣＥＮＩ＋ｋ）を実行すると、前記ＣＴＩサーバ手段（ＣＴＣ）に送達すべき少なくとも１つの別の返送ＣＴＩ呼処理メッセージ（ＣＴＩＣＨＯＵＴ１；ＣＴＩＣＨＯＵＴ１’）を生成するようにさらに構成されたことを特徴とする請求項８に記載のインタフェース手段（ＩＭ）。
【請求項１０】  前記ＣＴＩ呼処理装置（ＣＴＩＣＨ）が、前記少なくとも１つの別のＣＴＩ呼サービスシナリオ（ＣＳＣＥＮＩ＋１）を実行すると、前記マッピング装置（ＭＤ）に送達すべき少なくとも１つの別のサービス要求制御メッセージ（ＳＣＲＭＩ＋１）を生成するようにさらに構成されたことを特徴とする請求項８に記載のインタフェース手段（ＩＭ）。
【請求項１１】  前記マッピング装置（ＭＤ）が前記ＣＴＩ呼処理装置からＣＴＩ呼処理装置メッセージ（ＳＣＲＭ１；ＳＣＲＭＩ＋１）を受信し、前記ＣＴＩ呼処理装置メッセージ（ＳＣＲＭ１；ＳＣＲＭＩ＋１）に関連付けられた特定の呼に対して少なくとも１つの別の公衆交換呼サービスシナリオ（ＳＣＥＮｎ＋１；ＳＣＥＮｎ＋ｍ）を実行するようにさらに構成されたことを特徴とする請求項２または５に記載のインタフェース手段（ＩＭ）。
【請求項１２】  前記マッピング装置（ＭＤ）が、前記少なくとも１つの別の公衆交換呼サービスシナリオ（ＳＣＥＮｎ＋１；ＳＣＥＮｎ＋ｍ）を実行すると、前記サービス交換装置（ＳＳＦ）に送達すべき少なくとも１つの別の返送公衆交換呼処理メッセージ（ＰＳＣＨＯＵＴ３；ＰＳＣＨＯＵＴ３’）を生成するようにさらに構成されたことを特徴とする請求項１１に記載のインタフェース手段（ＩＭ）。
【請求項１３】  前記マッピング装置（ＭＤ）が、前記少なくとも１つの別の公衆交換呼サービスシナリオ（ＳＣＥＮｎ＋１）を実行すると、前記ＣＴＩ呼処理装置（ＣＴＩＣＨ）に送達すべき少なくとも１つの別の制御メッセージ（ＣＭｎ＋１）を生成するようにさらに構成されたことを特徴とする請求項１１に記載のインタフェース手段（ＩＭ）。
【請求項１４】  前記ＣＴＩ呼処理装置（ＣＴＩＣＨ）が、
前記ＣＴＩ呼処理メッセージ（ＣＴＩＣＨＩＮ）を受信すると、前記呼のＣＴＩ呼属性の値を決定し、
前記少なくとも１つのＣＴＩ呼サービスシナリオ（ＣＳＣＥＮ１）を実行すると、前記呼のＣＴＩ呼属性の少なくとも１つの更新値を決定するようにさらに構成されたことを特徴とする請求項２に記載のインタフェース手段（ＩＭ）。
【請求項１５】  前記マッピング装置（ＭＤ）が、
前記公衆交換呼処理メッセージ（ＰＳＣＨＩＮ）を受信すると、前記呼の公衆交換呼属性の値を決定し、
前記少なくとも１つの公衆交換呼サービスシナリオ（ＳＣＥＮ１）を実行すると、前記呼のＣＴＩ呼属性の少なくとも１つの更新値を決定するようにさらに構成されたことを特徴とする請求項５に記載のインタフェース手段（ＩＭ）。
【請求項１６】  前記ＣＴＩ呼処理装置（ＣＴＩＣＨ）が、
前記マッピング装置メッセージを受信すると、前記特定の呼のＣＴＩ呼属性の値を決定し、
前記少なくとも１つの別のＣＴＩ呼サービスシナリオを実行すると、前記特定の呼のＣＴＩ呼属性の少なくとも１つの更新値を決定するように構成されたことを特徴とする請求項８に記載のインタフェース手段（ＩＭ）。
【請求項１７】  前記マッピング装置（ＭＤ）が、
前記ＣＴＩ呼処理装置メッセージを受信すると、前記特定の呼の公衆交換呼属性の値を決定し、
前記少なくとも１つの別の公衆交換呼サービスシナリオを実行すると、前記特定の呼の公衆交換呼属性の少なくとも１つの更新値を決定するようにさらに構成されたことを特徴とする請求項１１に記載のインタフェース手段（ＩＭ）。
【請求項１８】  前記ＣＴＩ呼処理装置（ＣＴＩＣＨ）が、前記ＣＴＩ呼処理メッセージ（ＣＴＩＣＨＩＮ）を含む一連の着信ＣＴＩ呼処理メッセージを前記ＣＴＩサーバ手段（ＣＴＳ）から受信するようにさらに構成され、
前記ＣＴＩ呼処理装置（ＣＴＩＣＨ）が、前記一連の着信ＣＴＩ呼処理メッセージを受信し、前記ＣＴＩ呼処理装置（ＣＴＩＣＨ）内に含まれる第１の複数のＣＴＩ呼サービスシナリオ装置（ＣＳＣＥＮ１、．．．、ＣＳＣＥＮＩ）の中の１つのＣＴＩ呼サービスシナリオ装置に前記着信ＣＴＩ呼処理メッセージを転送するように構成された第１の選択手段（ＳＭ１）をさらに含み、前記第１の複数のＣＴＩ呼サービスシナリオ装置の中の前記各ＣＴＩ呼サービスシナリオ装置が別個のＣＴＩ呼サービスシナリオを実行するように構成され、
それにより、前記第１の複数のＣＴＩ呼サービスシナリオ装置の中の前記ＣＴＩ呼サービスシナリオ装置が前記着信ＣＴＩ呼処理メッセージに関連付けられた呼のＣＴＩ呼属性の少なくとも１つの値に基づいて前記第１の選択手段（ＳＭ１）によって選択されることを特徴とする請求項１４に記載のインタフェース手段（ＩＭ）。
【請求項１９】  前記マッピング装置（ＭＤ）が前記公衆呼処理メッセージ（ＰＳＣＨＩＮ）を含む一連の着信公衆交換呼処理メッセージを前記サービス交換機能装置（ＳＳＦ）から受信するようにさらに構成され、
前記マッピング装置（ＭＤ）が、前記一連の着信公衆交換呼処理メッセージを受信し、前記マッピング装置（ＭＤ）内に含まれる第２の複数の公衆交換呼サービスシナリオ装置（ＳＣＥＮ１、．．．、ＳＣＥＮｎ）の中の１つの公衆交換呼サービスシナリオ装置に前記着信公衆交換呼処理メッセージを転送するように構成された第２の選択手段（ＳＭ２）をさらに含み、前記第２の複数の公衆交換呼サービスシナリオ装置の中の前記各公衆交換呼サービスシナリオ装置が別個の公衆交換呼サービスシナリオを実行するように構成され、
それにより、前記第２の複数の公衆交換呼サービスシナリオ装置の中の前記公衆交換呼サービスシナリオ装置が前記着信公衆交換呼処理メッセージに関連付けられた呼の公衆交換呼属性の少なくとも１つの値に基づいて前記第２の選択手段（ＳＭ２）によって選択されることを特徴とする請求項１５に記載のインタフェース手段（ＩＭ）。
【請求項２０】  前記ＣＴＩ呼処理装置（ＣＨＩＣＨ）が、前記マッピング装置メッセージを含む一連の着信マッピング装置メッセージを受信するようにさらに構成されており、
前記ＣＴＩ呼処理装置（ＣＨＩＣＨ）が、前記一連の着信マッピング装置メッセージを受信し、前記ＣＴＩ呼処理装置（ＣＴＩＣＨ）内に含まれる第３の複数のＣＴＩ呼サービスシナリオ装置（ＣＳＣＥＮＩ＋１、．．．、ＣＳＣＥＮＩ＋ｋ）の中の１つのＣＴＩ呼サービスシナリオ装置に前記マッピング装置メッセージを転送するように構成された第３の選択手段（ＳＭ３）をさらに含み、前記第３の複数のＣＴＩ呼サービスシナリオ装置の中の前記各ＣＴＩ呼サービスシナリオ装置が別個のＣＴＩ呼サービスシナリオを実行するように構成され、
それにより、前記第３の複数のＣＴＩ呼サービスシナリオ装置の中の前記ＣＴＩ呼サービスシナリオ装置が前記着信マッピング装置メッセージに関連付けられた呼のＣＴＩ呼属性の少なくとも１つの値に基づいて前記第３の選択手段（ＳＭ３）によって選択されることを特徴とする請求項１６に記載のインタフェース手段（ＩＭ）。
【請求項２１】  前記マッピング装置（ＭＤ）が前記ＣＴＩ呼処理装置メッセージを含む一連の着信ＣＴＩ呼処理装置メッセージを受信するようにさらに構成されており、
前記マッピング装置（ＭＤ）が、前記一連の着信ＣＴＩ呼処理装置メッセージを受信し、前記マッピング装置内に含まれる第４の複数の公衆交換呼サービスシナリオ装置（ＳＣＥＮｎ＋１、．．．、ＳＣＥＮｎ＋ｍ）の中の１つの公衆交換呼サービスシナリオ装置に前記ＣＴＩ呼処理装置メッセージを転送するように構成された第４の選択手段（ＳＭ４）をさらに含み、前記第４の複数の公衆交換呼サービスシナリオ装置の中の前記各公衆交換呼サービスシナリオ装置が別個の公衆交換呼サービスシナリオを実行するように構成され、
それにより、前記第４の複数の公衆交換呼サービスシナリオ装置の中の前記公衆交換呼サービスシナリオ装置が前記着信ＣＴＩ呼処理装置メッセージに関連付けられた呼の公衆交換呼属性の少なくとも１つの値に基づいて前記第４の選択手段（ＳＭ４）によって選択されることを特徴とする請求項１７に記載のインタフェース手段（ＩＭ）。
【請求項２２】  前記第１の複数のＣＴＩ呼サービスシナリオ装置によって実行されるＣＴＩ呼サービスシナリオが前記第３の複数のＣＴＩ呼サービスシナリオ装置によって実行されるＣＴＩ呼サービスシナリオと大幅に異なることを特徴とする請求項１８または２０に記載のインタフェース手段（ＩＭ）。
【請求項２３】  前記第２の複数の公衆交換呼サービスシナリオ装置（ＳＣＥＮ１、．．．、ＳＣＥＮｎ）によって実行される公衆交換呼サービスシナリオが前記第４の複数の公衆交換呼サービスシナリオ装置（ＳＣＥＮｎ＋１、．．．、ＳＣＥＮｎ＋ｍ）によって実行される公衆交換呼サービスシナリオと大幅に異なることを特徴とする請求項１９または２１に記載のインタフェース手段（ＩＭ）。
【請求項２４】  前記サービス交換機能装置（ＳＳＦ）を含む複数のサービス交換機能装置（ＳＳＦ、ＳＳＦ１、ＳＳＦ２、ＳＳＦ３）と前記ＣＴＩサーバ手段（ＣＴＳ）との間で通信を行うように構成され、前記各サービス交換機能装置がサービス交換機能を備えたことを特徴とする請求項１に記載のインタフェース手段（ＩＭ’）。
【請求項２５】  前記サービス交換機能装置（ＳＳＦ）と前記ＣＴＩサーバ手段（ＣＴＳ）を含む複数のＣＴＩサーバ手段（ＣＴＳ、ＣＴＳ１、ＣＴＳ２）との間で通信を行うように構成されたことを特徴とする請求項１に記載のインタフェース手段（ＩＭ’）。
【請求項２６】  アプリケーションプログラミングインタフェース（ＡＰＩ）を介してサービスを実行するように構成された実行可能手段（ＥＭ１、．．．、ＥＭ５）に結合されたＣＴＩサーバ手段（ＣＴＳ）を含むコンピュータに結合されたネットワーク交換機（ＳＳＰ）を含む、少なくとも１人の顧客（Ｃ）にサービスを提供する装置（Ａ）であって、
前記ネットワーク交換機（ＳＳＰ）と前記ＣＴＩサーバ手段（ＣＴＳ）との間に結合され、サービス交換機能を備え前記ネットワーク交換機（ＳＳＰ）内に含まれるサービス交換機能装置（ＳＳＦ）と前記ＣＴＩサーバ手段（ＣＴＳ）との間で通信を行うように構成されたインタフェース手段（ＩＭ）をさらに含むことを特徴とする装置（Ａ）。
【請求項２７】  前記インタフェース手段（ＩＭ）が請求項２から２３のいずれか一項に記載したようにさらに構成されたことを特徴とする請求項２６に記載の装置。
【請求項２８】  サービス交換機能を備え前記インタフェース手段（ＩＭ’）に結合された少なくとも１つの別のサービス交換機能装置（ＳＳＦ１、ＳＳＦ２、ＳＳＦ３）をさらに含むことを特徴とする請求項２６に記載の装置。
【請求項２９】  前記インタフェース手段（ＩＭ’）に結合された少なくとも１つの別のＣＴＩサーバ手段（ＣＴＳ１、ＣＴＳ２）をさらに含むことを特徴とする請求項２６に記載の装置。